(57)【要約】本発明は、印刷装置に関し、特に、パソコンおよび携帯用コンピュータデバイス（ラップトップ等）に使用される印刷装置に関するが、排他的ではない。本発明は、使い捨て且つ生体分解性の材料から製造されるプリンタ筐体（８）を提供する。本発明のさらなる態様は、前述の筐体（８）と印刷されるべき少なくとも１シートの用紙（１０）とを具備するプリンタアセンブリを提供し、上記用紙（１０）は筐体内に位置する。本発明は、それによって、製造するのに比較的安価であり使用するのに便利なプリンタを提供する。
2006525146.tif 000002
【特許請求の範囲】
【請求項１】
使い捨て且つ生体分解性の材料から製造されたプリンタ筐体。
【請求項２】
前記筐体はパルプファイバから製造される請求項１記載のプリンタ筐体。
【請求項３】
前記筐体はハネカム構造を具備する請求項１または２に記載のプリンタ筐体。
【請求項４】
前記筐体の外側表面は防水材料で覆われる請求項１乃至３のいずれか１項に記載のプリンタ筐体。
【請求項５】
前記防水材料は前記筐体を完全に包む請求項４記載のプリンタ筐体。
【請求項６】
前記筐体の開口部に隣接して前記防水材料に穿孔の線が設けられ、前記防水材料の一部が前記開口部を覆い、材料の前記一部を容易に取り外すことができるようにするために弱化された前記線は前記開口部のまわりに延在する請求項５記載のプリンタ筐体。
【請求項７】
前記防水材料は前記筐体に結合される請求項４乃至６のいずれか１項に記載のプリンタ筐体。
【請求項８】
前記防水材料はパラフィン紙である請求項４乃至７のいずれか１項に記載のプリンタ筐体。
【請求項９】
プリンタヘッドと印刷されるべき用紙との間の相対運動を駆動するためのモータを前記筐体に装着するための手段をさらに具備する請求項１乃至８のいずれか１項に記載のプリンタ筐体。
【請求項１０】
モータを装着するための前記手段は、モータを前記筐体に解放可能に固定するための手段を具備する請求項９記載のプリンタ筐体。
【請求項１１】
前記解放可能な固定手段は、弾性のあるスナップ係止クリップを具備する請求項１０記載のプリンタ筐体。
【請求項１２】
モータを装着するための前記手段はレールスライダを具備し、使用中、その上にモータが位置して使用位置に摺動されてもよい請求項９乃至１１のいずれか１項に記載のプリンタ筐体。
【請求項１３】
電気コネクタが前記筐体に装着され、前記筐体に対する使用位置に位置するモータハウジングに装着されたさらなる電気コネクタを受け且つそれに電気的に接続するようにし、前記プリンタは、前記筐体装着電気コネクタに電気的に接続されたプリンタヘッドをさらに具備する請求項１乃至１２のいずれか１項に記載のプリンタ筐体。
【請求項１４】
プリンタヘッドを前記筐体に装着するための手段をさらに具備する請求項１乃至１３のいずれか１項に記載のプリンタ筐体。
【請求項１５】
プリンタヘッドを装着するための前記手段は、プリンタヘッドを前記筐体に解放可能に固定するための手段を具備する請求項１４記載のプリンタ筐体。
【請求項１６】
前記解放可能な固定手段は、弾性のあるスナップ係止クリップを具備する請求項１５記載のプリンタ筐体。
【請求項１７】
プリンタヘッドをさらに具備する請求項１乃至１６のいずれか１項に記載のプリンタ筐体。
【請求項１８】
文書をスキャンするためのスキャナヘッドを前記筐体に装着するための手段をさらに具備する請求項１乃至１７のいずれか１項に記載のプリンタ筐体。
【請求項１９】
印刷されるべき少なくとも１シートの用紙をさらに具備し、前記用紙は前記筐体内に位置する請求項１乃至１８のいずれか１項に記載のプリンタ筐体を具備するプリンタアセンブリ。
【請求項２０】
５０から１５０シートの間の用紙を具備する請求項１９記載のプリンタアセンブリ。
【請求項２１】
請求項１乃至１８のいずれか１項に記載の筐体を具備するプリンタ。
【請求項２２】
請求項１９または２０に記載のプリンタアセンブリを具備するプリンタ。
【発明の詳細な説明】
【技術分野】
【０００１】
本発明は、印刷装置に関し、特に、パソコンおよび携帯用コンピュータデバイス（ラップトップ等）に使用される印刷装置に関するが、排他的ではない。
【背景技術】
【０００２】
印刷装置は現在、デスクトップおよびラップトップのパソコン、および、携帯情報端末とともに、広く使用されている。比較的高機能で高価なレーザプリンタからより基本的で安価なインクジェットプリンタまでの範囲の多くの種類のプリンタが市販されている。プリンタは、消耗品、たとえば、用紙およびインクを使用し、それらは、プリンタが機能し続けるために周期的に交換されなければならないことが認識される。これは、プリンタが運ばれて、たとえばラップトップコンピュータとともに一時的な場所で使用されるべき場合に、特に不便である。これらの状況では、交換の用紙およびインクの通常の源は一般に、容易に利用可能ではなく、プリンタの用紙またはインクのいずれかを使い果たした場合には、プリンタが役に立たなくなることが多い。
【０００３】
大量の用紙およびインクがコンピュータ関連用途でプリンタで使用され、これによって、交換の用紙およびインクのパッケージに関連して大量の物質が無駄になる。この包装は、プリンタの管理に関連するコストを増加させ、また、パッケージが適切な材料で行われない場合には、印刷用紙およびインクを大量に使用することは、環境に悪影響を与える可能性がある。さらに、従来のプリンタのコストは、プリンタ筐体の比較的複雑な構造のため少なくなく、それは一般に、射出成形されたプラスチック材料から作られた板によって包まれたシートメタルから作られる。この比較的高価な構成要素は単に基部を提供する役割を果たすだけであり、その上に印刷機能を請け負う必須の構成要素が装着される。筐体自体は、おそらく製造に関連する費用が正当であると判断できない二次的機能を有するとみなされ得る。
【発明の開示】
【発明が解決しようとする課題】
【０００４】
本発明の目的は、製造するのに比較的安価であり使用するのに便利な改良されたプリンタを提供することである。
【課題を解決するための手段】
【０００５】
本発明の第一の態様は、使い捨て且つ生体分解性の材料から製造されたプリンタ筐体を提供する。
【０００６】
筐体は、パルプファイバから製造されることが好ましい。筐体は、ハネカム構造を具備してもよい。筐体の外側表面は、防水材料で覆われることが特に好ましい。この防水材料は、筐体を完全に包んでもよい。さらに、筐体の開口部に隣接して防水材料に、穿孔の線が設けられてもよく、上記防水材料の一部は上記開口部を覆い、材料の上記一部を容易に取り外すことができるように、弱化された上記の線は上記開口部のまわりに延在する。理想的には、防水材料は筐体に結合され、パラフィン紙であることが好ましい。
【０００７】
筐体は、プリンタヘッドと印刷されるべき用紙との間の相対運動を駆動するためのモータを筐体に装着するための手段を具備してもよい。モータを装着するための上述の手段は、モータを筐体に解放可能に固定するための手段を具備してもよい。解放可能な固定手段は、弾性のあるスナップ係止クリップを具備することが理想的である。モータを装着するための上記手段はレールスライダを具備することが特に望ましく、使用中、その上にモータが位置して使用位置に摺動されてもよい。また、筐体に対する使用位置に位置するモータハウジングに装着されているさらなる電気コネクタを受け、且つそれに電気的に接続するために、電気コネクタが筐体に装着されてもよく、プリンタは、上記筐体装着電気コネクタに電気的に接続されたプリンタヘッドをさらに具備する。
【０００８】
筐体は、プリンタヘッドを筐体に装着するための手段をさらに具備してもよい。プリンタヘッドを装着するための上述の手段は、プリンタヘッドを筐体に解放可能に固定するための手段を具備してもよい。好ましくは、プリンタヘッドを固定するための手段は、弾性のあるスナップ係止クリップを具備する。筐体は、プリンタヘッドを具備してもよい。理想的には、筐体は、文書をスキャンするためのスキャナヘッドを筐体に装着するための手段を具備する。
【０００９】
本発明の第二の態様は、上述の筐体を具備し且つ印刷されるべき少なくとも１シートの用紙をさらに具備するプリンタアセンブリを提供し、上記用紙は筐体内に位置する。プリンタアセンブリは、５０から１５０シートの間の用紙を具備することが好ましい。
【００１０】
本発明の第三の態様は、上述のような筐体またはプリンタアセンブリを具備するプリンタを提供する。
【００１１】
したがって、本発明は、筐体が使い捨てであり生体分解性であるプリンタを提供することが理解される。いかなるプリンタの筐体も本質的に、印刷されるべき用紙および印刷プロセス中に使用される構成要素（たとえば、ステッピングモータ、制御／電力ＰＣＢ、プリンタヘッドおよびモータに連結された動力伝達）の両方に支持を提供するという二次的機能を果たす。この二次的機能に鑑みて、本発明において筐体は、安価なプロセスを使用して比較的安価な材料から製造されてもよく、使い捨て品として交換されてもよい。言い換えると、本発明にしたがって、交換の用紙およびインクが、使い捨て且つ生体分解性のプリンタ筐体と一緒に単一のパッケージで提供されてもよい。プリンタ筐体自体が、用紙およびインク用のパッケージを形成してもよい。筐体自体に、プリンタに連結される一次構成要素を受けるための適切な装着手段が設けられてもよい。これらの一次構成要素は一般に、頻繁に交換する必要のない、より高価な構成要素であり、したがって、ひとたび用紙およびインクを使い果たしても、再使用されてもよい。ひとたび適切なアクセス開口部が本発明の筐体に開けられると、プリンタ設備を完成しコンピュータへの接続およびその後の文書の印刷を可能にするように、一次構成要素が適所に位置してもよい。
【００１２】
一般に、インク／用紙／筐体組み合わせに供給されるインクの量は、供給された量の用紙を印刷するのにちょうど足りるほどである。言い換えると、１００シートの用紙がパッケージに供給される場合には、プリンタヘッドに供給されるインクは、用紙供給を使い果たした後に望ましくないほど多く且つ無駄な量のインクを残さずに、この枚数のページを印刷するのに十分である。用紙およびインクの供給を使い果たすのが一致することが理想的である。このようにして、インクおよび用紙の無駄は最小限にされる。
【００１３】
ひとたびインクおよび用紙を使い果すと、プリンタの一次構成要素が解放されて筐体から取り外されてもよい。次いで、筐体および空のプリンタヘッドは処分されてもよい。次いで、一次構成要素は、さらなるインク／用紙／筐体組み合わせと一緒に再使用されてもよい。実際、筐体は、修繕してその後再販売するために製造業者へ戻されてもよい。
【００１４】
本発明は、使用するのに比較的安価である印刷システムの利点を提供することが理解される。プリンタは、一次構成要素がインストールされて購入されてもよく、プリンタ筐体の使い捨ての性質により、パッケージ全体が、従来のプリンタよりもかなり安価である。用紙およびインクの源を使い果たしたときには、ユーザは交換の源を購入し、そのパッケージは、プリンタの一次構成要素を装着するための筐体を形成する。したがって、用紙およびインク用のパッケージは無駄にはならない。また、インクは、すべての供給された用紙のシートを印刷するのに十分な量供給されるため、ユーザは、インクの供給の残量を気にせずに、残っているシートの数を参照してこの量が十分か否かを決定することができる。これにより、本発明は携帯用システムとして特に役立つ。
【発明を実施するための最良の形態】
【００１５】
次に、本発明の実施の形態が、添付の図面を参照して説明される。
【００１６】
本発明によるプリンタ２が、添付の図面の図１Ｂに、組み立てられた状態で示される。プリンタ２は、図１Ｂでは、ラップトップパソコン４に接続されて示されている。プリンタ２とラップトップ４との間の電気的接続は、プリンタ２の筐体８に解放可能に固定されたモータおよび制御／電力ＰＣＢアセンブリ６を経由して行われる。プリンタ２は、図１では、ラップトップ４の一方の側にあるように示されるが、プリンタ２の筐体８には、ラップトップコンピュータ４の表面（好ましくは底面）に筐体８を解放可能に固定するための適切なスナップ係止クリップ（または他の固定手段）が設けられてもよい。
【００１７】
プリンタ２の筐体８は、図１Ａに示される。モータおよび電力／制御ＰＣＢアセンブリ６は、図１Ａでは筐体８に取り付けられていない。プリンタ２は、実際には、組み立てられた機能するプリンタとして販売されてもよいが、図１Ａに示されるような筐体は単独で（一定の消費構成要素と一緒に）一般にユーザが購入することが予想される。モータアセンブリ６は、必要に応じて筐体から筐体へ移動させられ得る。
【００１８】
好ましくは、筐体８には、一般にプリンタの使用中に消費可能であるとみなすことができる構成要素が設けられる。したがって、筐体８には、印刷されるべき一定量の用紙１０（典型的に５０から１５０シートの間）と、カラーおよびブラックのインクカートリッジ１２、１４と、電源（たとえば、２×９ｖ電池１６）と、が設けられる。これらの構成要素を使い果たすことが、プリンタの寿命と一致することが理想的である。筐体８が購入者によって容易に使用されるために、インクカートリッジ１２、１４は、横方向スライダ１８に装着されて設けられ、標準リボンケーブル２０によって適切な電気回路に接続される。一つまたはそれ以上のＵＳＢまたは他のデータポート２２もまた、必要であるとして設けられてもよい。筐体８にはまた、モータアセンブリ６をインクカートリッジ１２、１４に連結するための動力伝達スプロケット／ベルトと、用紙１０を操作するためのカウンタ回転ローラー２４（図３Ｄ参照）と、が設けられてもよい。しかし、これらの構成要素は消費可能ではないことが好ましく、したがって、筐体８自体にこれらの構成要素を設けることが最小限にされるべきである。理想的には、これらの構成要素は、筐体８に着脱自在に固定されるべきであり、これにより、ひとたび消費構成要素を使い果たすと、筐体８から取り外されて、新しい筐体で使用されることができる。
【００１９】
図１Ａを参照すると、筐体８の本体２６には、用紙開口８部（それを通って印刷された用紙が排出されることができる）と、モータアセンブリ開口部３０（それにモータアセンブリ６が位置づけられ固定されてもよい）と、が設けられることが見られる。図１Ａを参照すると、筐体本体２６は、その上部表面に大きな開口部３２を有することも見られる。この大きな開口部３２は、筐体８の内部へ完全なアクセスを提供する。
【００２０】
筐体の本体２６は、使い捨て且つ生体分解性の材料（たとえば、リサイクルされた天然パルプファイバ）から製造される。この材料の外側表面は、筐体８が水の進入を通さないようにすることを確実にするために、パラフィン紙３４によって覆われる。実際、筐体開口部２８、３０、３２もまたパラフィン紙３４によって覆われ、そのため筐体本体２６は、防水材料（図１Ｃ参照）によって完全に包まれる。当然ながら、筐体８を使用する前に、開口部２８、３０、３２を覆う防水材料の部分は取り外さなければならず、この作業は、防水材料に各開口部のまわりにおいて防水材料に穿孔線またはミシン目を設けることによって補助され、それに沿って防水材料は容易に裂かれることができる。筐体８にＵＳＢポートが設けられる場合には、これらもまた、防水材料で覆われるべきである。
【００２１】
筐体８の用紙、インクおよび電源が消費可能であると同時に、筐体本体２６は、それが、ひとたび用紙、インクおよび電源を使い果たすとユーザが簡単に処分することができるように筐体本体を十分に安価にする材料および方法を使用して製造される限り、筐体本体２６自体が消費可能であるとみなされる。それにもかかわらず、筐体本体２６は、用紙備品を収容し且つ基部を提供してそれに基づいてモータアセンブリおよびインクカートリッジ（すなわちプリンタヘッド）を装着することができる機能を果たすために、十分に構造的に完全でなければならない。この目的のために、筐体本体２６は、生産鋼およびガーゼ染料でプレス成形されてもよい。生産エンジニアリングの熟練者は、これおよび他の製造技術に精通している。筐体本体２６の構造物はまた、曲げ抵抗を最大限にするようにも設計される。たとえば、ハネカム構造が筐体本体２８の基部に設けられ、一方、対角線クロス部材を使用して、構造物をさらに強化してもよい。本体２８を構造するのに使用されるパルプファイバ材料の厚さもまた変動し、高応力の点で増加する。構造の最適化は、使用される材料の容量を最小限にするように、有限要素解析で達成されてもよい。
【００２２】
図２Ａ〜２Ｃを参照すると、本願に記載された実施の形態において、筐体本体２６が二つの別個の構成要素から組み立てられるのが見られる。これらの構成要素の第一のものは、周囲直立側壁３６であり、その中に用紙およびモータアセンブリ開口部２８、３０が設けられる。筐体８の背部から（すなわち、用紙開口部２８が設けられた端に対向する端から）取られた側壁３６の部分図が、図２Ａに示される。側壁３６の内部および外部の垂直表面には、そこから突出する対角線クロス部材３８が設けられるのが見られる。これらのクロス部材は、必要な程度の剛性を筐体８に提供するのを補助する。側壁３６には、垂直に延在する控え壁部材４０も設けられ、これは、側壁３６の内側表面４２から延在する。各控え壁部材４０に対向する側壁３６の外側表面４４において、側壁３６は、内向きに彫刻され、筐体８の第二の構成要素（図２Ｂ参照）に設けられた複数のスナップ嵌め部材４８の一つを受けるための開口部４６（または窪み）が設けられる。開口部４６内のスナップ嵌め部材４８の位置は、図２Ｃに示される。
【００２３】
筐体８の第二の構成要素は、筐体８の基部を構成する実質的に平坦な部材５０である。図２Ｂを参照すると、平坦な部材５０には、曲げ荷重への抵抗を増すように部材５０の上部表面から突出する対角線クロス部材５２が設けられるのが見られる。基部の周囲縁には、側壁３６の前述の彫刻された部材内に位置するように位置決めされた複数の直立要素５４が設けられる。各要素５４は弾性的に可撓性があり、そのため、側壁３６および平坦な部材５０が一緒に位置するときには、要素５４上に設けられたスナップ嵌め部材４８は、側壁３６の対応する開口部４６内にスナップ嵌めされることができる。平坦な部材５０の上部表面にはまた、印刷されるべき必要な位置に用紙１０を受け、保持するための上方に突出する部材５８も設けられる。
【００２４】
スナップ嵌め部材４８は筐体８の二つの構成要素を一緒に保持するが、接続の強度は、適切な接着剤の使用によって増大されてもよい。
【００２５】
用紙１０およびインクカートリッジ１２、１４をモータアセンブリ６で操作するための機構は、図３の図面に示される。そのような機構の操作は、当業者には容易に明らかであり、適切な代替例および改良例が実施可能であり、且つ、本発明の範囲内にある。理想的には、できるだけ多くの前述の機構が、適宜、筐体本体２６から解放可能であり且つさらなる筐体本体に移すことができるべきである。このようにして、機構は、筐体８のコストを低減するように再使用されてもよい。機構は、スナップ嵌め締結具によって筐体本体２６に解放可能に固定されてもよい。そのような締結具の詳細はまた、当業者には容易に明らかである。
【００２６】
図３Ａを参照すると、用紙の高さをプリンタヘッド（すなわち、インクカートリッジ１２、１４）に対して調節するための機構が示される。したがって、用紙源が消耗され用紙の上部シートのレベルが下降すると、インクカートリッジ１２、１４は、下方に割り送りされてもよい。あるいは、図３Ａの機構を使用して、用紙源全体の高さを上げるか、または、カウンタ回転ローラー２４を下げ、これにより、用紙の上部シートを把持し、インクカートリッジ１２、１４へ向けて上方に供給してもよい。図３Ａに示された特別の実施の形態において、インクカートリッジ１２、１４用の横方向スライダ１８は、スナップ嵌めクリップ６０によって、ラックおよびピニオンアセンブリ６４の垂直可動ラック６２に一方の端で解放可能に固定される。ラックおよびピニオンアセンブリ６４は、スナップ嵌めクリップ６６によって、筐体本体２６に開放可能に固定される。あるいは、アセンブリ６４は筐体本体２６へねじ込まれてもよく、ワッシャーが、関連荷重を広げるために適切に位置してもよい。アセンブリ６４のピニオン６８は、筐体本体２６へ装着されたギアトレイン７０によって駆動される。ギアトレイン７０は、ステッピングモータ７６の駆動シャフト７４に装着されたスプロケット７２によって、それ自体が駆動される（図４の図面を参照）。ラックおよびピニオンアセンブリ６４は、ナイロンジンテク（Zintec）スライダを具備してもよい。
【００２７】
アセンブリ６４によるプリンタヘッド（インクカートリッジ１２、１４）の垂直運動は、図３Ｃの矢印７８によって示される。用紙１０の幅を横切るプリンタヘッドの横方向運動は、図３Ｂの矢印８０によって示される。用紙１０の長さ方向に沿ったプリンタヘッドの相対運動は、用紙を筐体本体２６に対して動かすようにローラー２４の回転によって（図３Ｄに示されるように）、または、代替の実施の形態では、図３Ｅの矢印８２によって示されるようにプリンタヘッドを筐体本体２６に対して動かすことによって、のいずれかで達成されてもよい。
【００２８】
図３の図面に示される機構は、ステッピングモータ７６によって（または、二つまたはそれ以上のステッピングモータによって）、駆動される。
【００２９】
図４の図面は、モータおよび電力／制御ＰＣＢアセンブリ６を示す。アセンブリ６は、四つのねじ９２によってアセンブリ６のハウジング９０に固定される標準ステッピングモータ７６を具備する。ハウジング９０は、モータアセンブリ開口部３０に隣接した筐体本体２６の基部に位置する対応するスライダ（図１Ｃを参照）に係合するように適合された二つのレールスライダ９４を具備する。したがって、アセンブリ６がモータアセンブリ開口部３０を通って押圧されるときに、レールスライダ構成要素９４、９５は、互いに係合して、筐体本体２６内にアセンブリ６が正しく準備された位置にあるのを補助する。実際、図１Ｃに見られるように、筐体本体２６には、モータアセンブリ６の背部で噛み合いコネクタ９７に接続するための電気コネクタ９６が設けられ、レールスライダ構成要素９４、９５は、この接続が正しくなされることを確実にする。
【００３０】
ステッピングモータ７６は、モータスプロケット７２を受けるためのスプライン結合された駆動シャフト７４を具備する。モータの駆動シャフトにスプロケットを設ける方法は、よく理解されおり、本発明に関連して、いずれの適切な方法が使用されてもよい。しかし、図４の図面に示された特定の実施の形態において、スプライン結合されたシャフト７４には、テーパ状のサークリップ１０２を受けるための溝１００が設けられる。スプロケット７２には、スプロケット７２が、シャフト７４に且つサークリップ１０２上に押されるときに膨張するのを可能にする断絶１０４（すなわち、その中のブレーキ）が設けられる。サークリップのテーパは、スプロケットがシャフト７４に押されてもよいが、サークリップ１０２上を通るため、サークリップ１０２を超えて戻ることができない。スプロケット７２は、シャフト７４に設けられたサークリップ１０２およびショルダ（図示せず）と当接することによってシャフト７４の所望の位置に保持されることができる。
【００３１】
本発明は、上述の特定の実施の形態に限定されない。代替の配列および適切な材料が、当業者には明らかである。たとえば、プリンタヘッドと制御ＰＣＢとの間の電気通信は、ワイヤレスＲＦリンクによって達成されてもよい。モータアセンブリ６にはまた、ひとたび使用位置に位置すると、アセンブリを筐体本体２６に解放可能に固定するための適切な締結手段が設けられてもよい。これは、適切なスナップ嵌め締結具で達成されてもよい。プリンタの電子回路はまた、ＵＳＢポートを経由して接続されるコンピュータから電力を取ってもよい（０．５アンペアまで）。さらに、プリンタはまた、装置がスキャナとしても機能できるようにスキャナヘッドを含んでもよい。筐体８にはまた、実施される印刷の種類に応じて選択され得る異なる種類の用紙が設けられてもよい。たとえば、筐体８は、標準印刷用紙用の第一のペーパービンと、高品質の光沢のある印画紙用の第二のペーパービンと、を具備してもよい。プリンタの制御回路は、プリントジョブに応じて適切なビンからの用紙が選択されるようにする。さらなる代替において、インクカートリッジおよび横方向スライダは、保管および輸送のために、折り畳まれた状態で保管されてもよい。使用前に、カートリッジおよびスライダは、９０°ひねられ、筐体本体２６の使用位置にスナップ留めされる。
【図面の簡単な説明】
【００３２】
【図１Ａ】本発明によるプリンタの概略斜視図である。
【図１Ｂ】ラップトップパソコンに接続された図１Ａのプリンタの概略斜視図である。
【図１Ｃ】プリンタ筐体のパラフィン紙が部分的に取り外された図１Ａのプリンタの部分概略斜視図である。
【図２Ａ】図１に示されたプリンタの筐体の直立壁の部分概略斜視図である。
【図２Ｂ】図１に示されたプリンタの筐体の基部の部分概略斜視図である。
【図２Ｃ】図２Ａおよび２Ｂに示された線Ｚ−Ｚに沿った部分断面図である。
【図３Ａ】図１に示されたプリンタの用紙高さ調節機構の部分概略斜視図である。
【図３Ｂ】図１に示されたプリンタのプリンタヘッド横方向スライダの概略平面図である。
【図３】図１に示されたプリンタのプリンタヘッド垂直スライダの概略側面図である。
【図３Ｄ】図１に示されたプリンタのカウンタ回転用紙操作ローラーの概略側面図である。
【図３Ｅ】図１に示されたプリンタのプリンタヘッド長手方向スライダの概略平面図である。
【図４Ａ】ステッピングモータおよびそれに係合する電力／制御ＰＣＢアセンブリを備えた、図１に示されたプリンタの概略斜視図である。
【図４Ｂ】モータおよび電力／制御ＰＣＢアセンブリおよびそれに連結された構成要素の複合図である。
【図４Ｃ】モータ駆動スプロケットの概略端面図である。
【図４Ｄ】図４Ｂに示されたモータの駆動シャフトに装着された図４Ｃの駆動スプロケットの概略側面図である。
2006525146.tif 000003
2006525146.tif 000004
2006525146.tif 000005
2006525146.tif 000006
2006525146.tif 000007
2006525146.tif 000008
2006525146.tif 000009
【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
使い捨て且つ生体分解性の材料から製造された容器と、前記容器の内部に保管された少なくとも１シートの用紙とを具備する用紙パッケージであって、前記容器は、前記容器の内部に保管された用紙に印刷するための一つまたはそれ以上の電気的構成要素を、前記容器に解放可能に取り付けることを可能にする装着手段を備えることと、前記容器の一部が前記容器の他の部分に対して移動可能であり、これにより、前記容器の内部へのアクセスを提供するアクセス開口部を開放し、前記装着手段を用いた構成要素の前記装着が可能になることと、を特徴とする用紙パッケージ。
【請求項２】
前記容器はパルプファイバから製造される請求項１記載の用紙パッケージ。
【請求項３】
前記容器はハネカム構造を具備する請求項１または２に記載の用紙パッケージ。
【請求項４】
前記容器の外側表面は防水材料で覆われる請求項１乃至３のいずれか１項に記載の用紙パッケージ。
【請求項５】
前記防水材料は前記容器を完全に包む請求項４に記載の用紙パッケージ。
【請求項６】
前記容器の開口部に隣接して前記防水材料に穿孔の線が設けられ、前記防水材料が前記開口部を覆い、容器の他の部分に対して移動可能な前記容器の一部を提供するために、弱い前記線は前記開口部のまわりに延在する請求項５に記載の用紙パッケージ。
【請求項７】
前記装着手段は、弾性のあるスナップ係止クリップを具備する請求項１乃至６のいずれか１項に記載の用紙パッケージ。
【請求項８】
前記装着手段は、モータを前記容器に装着するための手段を具備する請求項１乃至７のいずれか１項に記載の用紙パッケージ。
【請求項９】
モータを装着するための前記手段はレールスライダを具備し、使用中、その上にモータが位置して使用位置に摺動されてもよい請求項８に記載の用紙パッケージ。
【請求項１０】
電気コネクタが前記容器に装着され、前記容器に対する使用位置に位置するモータハウジングに装着されたさらなる電気コネクタを受け且つそれに電気的に接続するようにした請求項１乃至９のいずれか１項に記載の用紙パッケージ。
【請求項１１】
使い捨て且つ生体分解性の材料から製造されたプリンタ筐体。
【請求項１２】
前記筐体はパルプファイバから製造される請求項１１記載のプリンタ筐体。
【請求項１３】
前記筐体はハネカム構造を具備する請求項１１または１２に記載のプリンタ筐体。
【請求項１４】
前記筐体の外側表面は防水材料で覆われる請求項１乃至１３のいずれか１項に記載のプリンタ筐体。
【請求項１５】
前記防水材料は前記筐体を完全に包む請求項１４記載のプリンタ筐体。
【請求項１６】
前記筐体の開口部に隣接して前記防水材料に穿孔の線が設けられ、前記防水材料の一部が前記開口部を覆い、材料の前記一部を容易に取り外すことができるようにするために弱い前記線は前記開口部のまわりに延在する請求項１５記載のプリンタ筐体。
【請求項１７】
前記防水材料は前記筐体に結合される請求項１４乃至１６のいずれか１項に記載のプリンタ筐体。
【請求項１８】
前記防水材料はパラフィン紙である請求項１４乃至１７のいずれか１項に記載のプリンタ筐体。
【請求項１９】
プリンタヘッドと印刷されるべき用紙との間の相対運動を駆動するためのモータを前記筐体に装着するための手段をさらに具備する請求項１乃至１８のいずれか１項に記載のプリンタ筐体。
【請求項２０】
モータを装着するための前記手段は、モータを前記筐体に解放可能に固定するための手段を具備する請求項１９記載のプリンタ筐体。
【請求項２１】
前記解放可能な固定手段は、弾性のあるスナップ係止クリップを具備する請求項２０記載のプリンタ筐体。
【請求項２２】
モータを装着するための前記手段はレールスライダを具備し、使用中、その上にモータが位置して使用位置に摺動されてもよい請求項１９乃至２１のいずれか１項に記載のプリンタ筐体。
【請求項２３】
電気コネクタが前記筐体に装着され、前記筐体に対する使用位置に位置するモータハウジングに装着されたさらなる電気コネクタを受け且つそれに電気的に接続するようにし、前記プリンタは、前記筐体装着電気コネクタに電気的に接続されたプリンタヘッドをさらに具備する請求項１乃至２２のいずれか１項に記載のプリンタ筐体。
【請求項２４】
プリンタヘッドを前記筐体に装着するための手段をさらに具備する請求項１乃至２３のいずれか１項に記載のプリンタ筐体。
【請求項２５】
プリンタヘッドを装着するための前記手段は、プリンタヘッドを前記筐体に解放可能に固定するための手段を具備する請求項２４記載のプリンタ筐体。
【請求項２６】
前記解放可能な固定手段は、弾性のあるスナップ係止クリップを具備する請求項２５記載のプリンタ筐体。
【請求項２７】
プリンタヘッドをさらに具備する請求項１乃至２６のいずれか１項に記載のプリンタ筐体。
【請求項２８】
文書をスキャンするためのスキャナヘッドを前記筐体に装着するための手段をさらに具備する請求項１乃至２７のいずれか１項に記載のプリンタ筐体。
【請求項２９】
印刷されるべき少なくとも１シートの用紙をさらに具備し、前記用紙は前記筐体内に位置する請求項１乃至２８のいずれか１項に記載のプリンタ筐体を具備するプリンタアセンブリ。
【請求項３０】
５０から１５０シートの間の用紙を具備する請求項２９記載のプリンタアセンブリ。
【請求項３１】
請求項１１乃至２８のいずれか１項に記載の筐体を具備するプリンタ。
【請求項３２】
請求項２９または３０に記載のプリンタアセンブリを具備するプリンタ。
【国際調査報告】
2006525146.tif 000010
2006525146.tif 000011